(57)【要約】【課題】複写機の操作部と紙折り機の排紙部とが離れている複写・紙折りシステムにおいて、紙折りモード時にユーザーの移動量を最小限にし、紙折り出力の向上を図ること。【解決手段】プリンタ１１０および紙折り機１２０の排紙近傍に設けられ、ストック限界時に当該画像形成の再開を指示するリスタートキー１２２と、ストック限界の場合に、当該画像形成を中断させ、ストック限界が解除され、かつリスタートキー１２２によりリスタートの指示があった場合に当該画像形成を再開するように制御する制御部１１２と、を備える。【選択図】　　　図２
2004075236.tif 000002
【特許請求の範囲】
【請求項１】
画像入力手段から送られる広幅および長尺の画像情報を記録紙に画像形成して排紙する複写機と、前記複写機上であらかじめ指示される紙折り条件にしたがって紙折りし、排紙部に排紙する紙折り機と、を相互通信可能に接続した複写・紙折りシステムにおいて、
前記複写機および前記紙折り機の排紙近傍に設けられ、ストック限界時に当該画像形成の再開を指示するリスタート指示手段と、
ストック限界の場合に、当該画像形成を中断させ、ストック限界が解除され、かつ前記リスタート指示手段によりリスタートの指示があった場合に当該画像形成を再開するように制御する複写制御手段と、
を備えたことを特徴とする複写・紙折りシステム。
【請求項２】
前記複写制御手段は、ストック限界に達した場合に前記リスタート指示手段の入力操作を促すメッセージまたは（および）報知音を出力させることを特徴とする請求項１に記載の複写・紙折りシステム。
【請求項３】
前記リスタート指示手段は、ソフトキーで構成され、リスタート入力が可能なとき以外は、表示状態を変更し、入力不可とすることを特徴とする請求項１または２に記載の複写・紙折りシステム。
【請求項４】
さらに、前記紙折り機の排紙部に、紙折り済みの記録紙のストック状態を検知し、前記複写制御手段に出力するストック検知手段を備え、
前記複写制御手段は、前記ストック検知手段の検知信号がストック限界である場合、当該画像形成を中断し、そのストック限界が解除されなければ前記リスタート指示手段の入力を無効にすることを特徴とする請求項１、２または３に記載の複写・紙折りシステム。
【請求項５】
前記複写制御手段は、前記ストック検知手段の検知信号がストック限界で、画像形成を中断した後、前記ストック検知手段によるストック限界の状態が解除された場合、自動的に当該画像形成を再開することを特徴とする請求項４に記載の複写・紙折りシステム。
【発明の詳細な説明】
【０００１】
【発明の属する技術分野】
本発明は、広幅のロール紙あるいは大判の記録紙に複写する複写機および当該複写機から排紙される記録紙を自動的に所定のモードで紙折りを行なう紙折り機を備え、特に、複写機（スキャナ）の操作部と紙折り機とが離れており、紙折り機の排紙部が満杯時にも操作性を向上させる複写・紙折りシステムに関する。
【０００２】
【従来の技術】
従来、たとえば、Ａ１，Ａ０といった大型の複写機（工業用複写機）では、その排紙側に所定サイズに紙折りを行なって排紙する紙折り機を接続したシステムが知られている。たとえば、紙折り機から排出された記録紙を分類しストックするシート処理装置が特開平５−１１６８３４号公報に開示されている。また、コレータを使用せずに、複写機と紙折り機のみで動作させる場合、紙折り済みの記録紙のストック部分は排紙部の一ヶ所となる。
【０００３】
また、ジグザグ折り部とクロス折り部を有する紙折り機で、ジグザグ折りのみの動作を行なった際に、クロス折り部での記録紙搬送を行なわない紙折り機、すなわち、クロス折り部の記録紙搬送ベルト上に記録紙をストックする紙折り機の場合、ストックできる記録紙は１枚だけの場合がある。
【０００４】
【発明が解決しようとする課題】
しかしながら、上記に示されるような、従来のシート処理装置または紙折り機が接続されたシステムにあっては、下記のような問題点があった。ストック可能な枚数が１枚である場合、複数枚の紙折りを行なうユーザーは、ストック可能枚数ずつコピーを行ない、終了する度に、紙折り機のストック部から記録紙を取り除き、再び複写機の操作部に戻って続きのコピーを行なうという煩わしい動作を繰り返す必要がある。特に、広幅・長尺の大型の複写機の場合には、紙折り機のストック部と複写機の操作部とが離れているため、コピーが終了するまで何度も移動しなければならず、ユーザーの負担が多くなると共に、紙折りの効率が上がらなくなる。
【０００５】
本発明は、上記に鑑みてなされたものであって、複写機の操作部と紙折り機の排紙部とが離れている複写・紙折りシステムにおいて、紙折りモード時にユーザーの移動量を最小限にし、紙折り出力の向上を図ることを目的とする。
【０００６】
【課題を解決するための手段】
上記の目的を達成するために、請求項１にかかる複写・紙折りシステムにあっては、画像入力手段から送られる広幅および長尺の画像情報を記録紙に画像形成して排紙する複写機と、前記複写機上であらかじめ指示される紙折り条件にしたがって紙折りし、排紙部に排紙する紙折り機と、を相互通信可能に接続した複写・紙折りシステムにおいて、前記複写機および前記紙折り機の排紙近傍に設けられ、ストック限界時に当該画像形成の再開を指示するリスタート指示手段と、ストック限界の場合に、当該画像形成を中断させ、ストック限界が解除され、かつ前記リスタート指示手段によりリスタートの指示があった場合に当該画像形成を再開するように制御する複写制御手段と、を備えたものである。
【０００７】
この発明によれば、複写機および紙折り機の排紙近傍に、ストック限界検知時に当該画像形成の再開を指示するリスタート指示手段を設け、ストック限界の場合に、当該画像形成を中断させ、ストック限界が解除され、かつリスタート指示手段によりリスタートの指示があった場合に当該画像形成を再開するようすることにより、ユーザーがストック限界の記録紙を取り除いた後に複写機側に移動することなくその複写動作を再開することが可能になる。
【０００８】
また、請求項２にかかる複写・紙折りシステムにあっては、前記複写制御手段は、ストック限界に達した場合に前記リスタート指示手段の入力操作を促すメッセージまたは（および）報知音を出力させるものである。
【０００９】
この発明によれば、請求項１において、ストック限界に達した場合にリスタート指示手段の入力操作を促すメッセージまたは（および）報知音を出力させることにより、ユーザーが迅速なリスタートを行なうことが可能になる。
【００１０】
また、請求項３にかかる複写・紙折りシステムにあっては、前記リスタート指示手段は、ソフトキーで構成され、リスタート入力が可能なとき以外は、表示状態を変更し、入力不可とするものである。
【００１１】
この発明によれば、請求項１または２において、リスタート指示手段が、ソフトキーで構成され、リスタート入力が可能なとき以外は、表示状態を変更し、入力不可とすることにより、リスタートが必要なときのみ操作可能になり、ユーザーによる的確な操作が期待できる。
【００１２】
また、請求項４にかかる複写・紙折りシステムにあっては、さらに、前記紙折り機の排紙部に、紙折り済みの記録紙のストック状態を検知し、前記複写制御手段に出力するストック検知手段を備え、前記複写制御手段は、前記ストック検知手段の検知信号がストック限界である場合、当該画像形成を中断し、そのストック限界が解除されなければ前記リスタート指示手段の入力を無効にするものである。
【００１３】
この発明によれば、請求項１、２または３において、ストック検知手段の検知信号がストック限界である場合、当該画像形成を中断し、そのストック限界が解除されなければリスタート指示手段の入力を無効にすることにより、操作ミスによりストック枚数以上の記録紙をストックするといった事態を回避することが可能になる。
【００１４】
また、請求項５にかかる複写・紙折りシステムにあっては、前記複写制御手段は、前記ストック検知手段の検知信号がストック限界で、画像形成を中断した後、前記ストック検知手段によるストック限界の状態が解除された場合、自動的に当該画像形成を再開するものである。
【００１５】
この発明によれば、請求項４において、ストック検知手段の検知信号がストック限界で、画像形成を中断した後、ストック検知手段によるストック限界の状態が解除された場合、自動的に当該画像形成を再開することにより、リスタートのためのキー操作が不要になる。
【００１６】
【発明の実施の形態】
以下、本発明にかかる複写・紙折りシステムの好適な実施の形態について添付図面を参照し、詳細に説明する。なお、本発明はこの実施の形態に限定されるものではない。
【００１７】
本発明は、大判サイズの複写印刷を行なう複写機の排紙口に所定の紙折りを行なう紙折り機を接続し、特に複写機（スキャナ）の操作部と紙折り機の排紙部とが離れているシステムにおいて、紙折り機の排紙部に満杯検知センサおよびリスタートキーを設け、複写・紙折りを開始した後に、紙折り機側での操作により所望の紙折りされた記録紙の排紙を完了させることの可能なシステムを提供するものである。以下、具体的に説明する。なお、この実施の形態では、コピー動作もプリント動作も同一の意味をなすものとして記述する。
【００１８】
図１は、本発明の実施の形態にかかる複写・紙折りシステムの配置構成例を示す説明図である。図において、符号１００は広幅および長尺の原稿を搬送しながら光学的に読み取り電気信号として出力するスキャナ、符号１０５は複写および紙折りの諸条件を入力するために用いられる操作部、符号１１０はスキャナ１００で読み取られた原稿情報を所定の作像プロセス（レーザ書き込みを用いた電子写真プロセスなど）にしたがって画像形成を行なうプリンタ、符号１２０は大判の記録紙を所定の条件で折り込んで排紙する紙折り機、符号１２１は紙折り後の記録紙をストックする排紙部、符号１２２はストック限界に達し、解除後に当該複写動作を開始させるために押下されるリスタートキー、符号１４０はスキャナ１００、プリンタ１１０、紙折り機１２０とをオンラインで接続するための信号ケーブルである。
【００１９】
操作部１０５には、たとえばユーザーにメッセージで装置状態などを知らせるＬＣＤによる表示機能、各種キーによる複写条件および紙折り条件などを入力する機能、およびユーザーに装置状態の確認や操作を促すためのたとえば「ビープ音」といった鳴動を行なう報知機能などが備えられている。また、操作部１０５には、後述するように、紙折り機１２０の排紙部１２１が満杯、あるいはプリンタ１１０によるカウント数によりストック限界が解除された場合にコピー（プリント）を再開させるためのリスタートキー（不図示）が設けられている。また、このリスタートキーは、たとえば、ＬＣＤで構成され、さらに入力部分をソフトキーで構成し、リスタート入力が可能なとき以外は表示（輝度状態、非表示）を変更し、入力不可とするように制御される。
【００２０】
スキャナ１００とプリンタ１１０とは図示するように離れて設置されている。プリンタ１１０の排紙側には紙折り機１２０が接続されている。すなわち、スキャナ１００の操作部１０５と紙折り機１２０の排紙部１２１とはユーザーの移動が必要な程度に離れている。
【００２１】
図２は、図１における複写・紙折りシステムの概略構成を示すブロック図である。図において、符号１０１はスキャナ１００全体を統括的に制御するスキャナ制御部（ＳＣＵ）、符号１０２は光照射された原稿画像を電気信号として読み取るＣＣＤ、符号１１１は記録紙に画像を形成する作像部、符号１１２はプリンタ１１０全体を統括的に制御する制御部、符号１２５は紙折り機１２０を統括的に制御する制御部、符号１２６は排紙部１２１に設けられ紙折り済みの記録紙のストック限界を検知する満杯検知センサである。
【００２２】
なお、上記３つに制御部は、ＣＰＵ，ＲＯＭ、ＲＡＭなどを備えたマイクロコンピュータシステムで構成されている。また、リスタートキー１２２は、たとえば、ＬＣＤで構成され、さらに入力部分をソフトキーで構成し、リスタート入力が可能なとき以外は表示（輝度状態、非表示）を変更し、入力不可とするように制御される。
【００２３】
図３は、図２における満杯検知センサ１２６の構成例を示す説明図である。図示するように、満杯検知センサ１２６は、たとえばフォトインタラプタで構成され、フィラー１２７の突起部分の動きを検知するものである。軽量で低摩擦のフィラー１２７の先端は、排紙トレイ１２８に自重で垂れ下がり、排紙ローラ１２３，１２４から排紙される紙折り済みの記録紙のストック限界を検知するように構成される。この検知信号は、紙折り機１２０の制御部１２５に送られ、同時にプリンタ１１０、スキャナ１００に送出され、後述する制御が行なわれる。
【００２４】
つぎに、以上のように構成された複写・紙折りシステムの動作について説明する。図４は、スキャナ・プリンタおよび紙折り機間における通信シーケンスを示す遷移図であり、ストック限界が紙折り後の記録紙２枚の場合について示している。操作部１０５上で紙折りモードを選択し、スタートキー（不図示）の押下によりコピーが開始される。このとき、ストック可能枚数よりコピー枚数を多く設定する。スキャナ１００により原稿を読み取りプリンタ１１０によってプリント動作を開始する。まず、プリンタ１１０から紙折り機１２０に対し、紙折り設定情報や紙折り指示データ（ストック中断［ＯＦＦ］）の信号が送られる（Ｓ１）。このデータは「ストック中断ＯＮ／ＯＦＦ」の情報を含み、ストック限界にあたるプリントでは［ストック中断ＯＮ］が、それ以外のプリントでは「ストック中断ＯＦＦ」が通知される。
【００２５】
紙折り機１２０は、上記指示データにしたがって紙折りを行ない、プリンタ１１０に対して紙折り終了の通知信号を送信し（Ｓ２）、つぎの動作を待つ。「ストック中断ＯＮ」が通知された場合（Ｓ３）、紙折り機１２０は紙折りを行なった後、プリンタ１１０へ紙折り終了を通知する（Ｓ４）と共に、リスタート入力を有効にし、記録紙の除去とリスタート入力を促すメッセージを操作部１０５に表示する。
【００２６】
プリンタ１１０は、紙折り機１２０に対して「ストック中断ＯＮ」を通知した場合、紙折り終了の通知を受け取った後、コピー動作を中断し、ビープ音を鳴動すると共に、記録紙の除去およびリスタート入力を促すメッセージを表示し、ユーザーのリスタート入力を待つ。ユーザーは、ストックされた記録紙を取り除き、プリンタ１１０または紙折り機１２０でリスタート入力を行なう。
【００２７】
紙折り機１２０でリスタート入力が行なわれると、紙折り機１２０はプリンタ１１０に対し、リスタート要求を通知する（Ｓ４）と共に、リスタート入力の有効期間を無効にする。
【００２８】
プリンタ１１０が紙折り機１２０からリスタート要求を受け取る、あるいは操作部１０５でリスタート入力されると、プリンタ１１０はコピー中断を解除し、つぎのプリントを開始する。
【００２９】
プリンタ１１０は、ストック限界枚数に達したか否かのカウントを再び１から数えなおす。設定枚数のプリントが終了するまで、上記動作を繰り返し実行し、最後の記録紙がプリントされるときに、プリンタ１１０から紙折り機１２０へ「最終用紙」情報が通知される（Ｓ５）。プリントされた最後の記録紙が紙折りされ、紙折り機１２０から排出されると、すでに「最終用紙」情報を受けとっている紙折り機１２０は、プリンタ１１０に紙折り終了を通知する（Ｓ６）。このとき、「ストック中断ＯＮ」が通知されていても、リスタート入力は有効にしない。紙折り終了の信号を受け取ったプリンタ１１０は、コピー動作を終了する。
【００３０】
図５は、図４におけるスキャナ・プリンタと紙折り機の総合動作を示すフローチャートである。まず、前述したように、紙折りモードによる複写動作が指示されると、そのモードにしたがって、まず、プリント処理を実行し（ステップＳ１１）、紙折りを行なう（ステップＳ１２）。ついで、コピー枚数が最終用紙であるか否かを判断する（ステップＳ１３）。ここで、最終用紙でないと判断したならば、さらにストック限界に達したか否かを判断する（ステップＳ１４）。
【００３１】
ステップＳ１４において、ストック限界に達したと判断したならば、コピーを中断し、リスタート入力待ちにし（ステップＳ１５）、リスタート入力を受ける（ステップＳ１６）。ステップＳ１３において、最終用紙であると判断した場合、当該コピーを終了する。また、ステップＳ１４において、ストック限界枚数に達していないと判断した場合、そのコピーを継続して行なう。なお、上記ストック限界枚数に達したかどうかの判断は、プリンタ１１０の枚数カウントによって行なうか、あるいは図３に示した満杯検知センサによる信号を用いる。
【００３２】
図６は、図４におけるプリンタ１１０単体の動作例を示すフローチャートである。まず、前述したように、紙折りモードによる複写動作が指示されると、そのモードにしたがって、まず、プリント処理を実行し（ステップＳ２１）、その記録紙を排出し、紙折り機１２０へ排紙の通知を行なう（ステップＳ２２）。紙折り機１２０から紙折り終了の通知を受け（ステップＳ２３）、つぎのプリントがあるか否かを判断する（ステップＳ２４）。
【００３３】
ステップＳ２４において、つぎのプリントがあると判断したならば、さらにストック限界枚数に達したか否かを判断する（ステップＳ２５）。ここで、ストック限界枚数に達したと判断した場合、コピーを中断してリスタート入力待ちとし（ステップＳ２６）、プリンタ１１０または紙折り機１２０からのリスタート入力を受け（ステップＳ２７）、コピー（プリント）を再開する。ステップＳ２５において、ストック限界枚数に達していない場合には、そのままコピー（プリント）を継続して行なう。また、ステップＳ２４において、つぎのコピー（プリント）がない場合には、そのコピー動作を終了する。
【００３４】
図７は、図４における紙折り機１２０単体の動作例を示すフローチャートである。まず、前述したように、紙折りモードによる複写動作が指示されると、そのモードにしたがって、プリンタ１１０から動作データを受信し（ステップＳ３１）、当該紙折りを実行する（ステップＳ３２）。その後、プリンタ１１０へ紙折り終了の通知を行ない（ステップＳ３３）、最終用紙であるか否かを判断する（ステップＳ３４）。
【００３５】
ステップＳ３４において、最終用紙ではないと判断した場合、さらにストック限界に達したか否かを判断する（ステップＳ３５）。ここで、ストック限界であると判断したならば、リスタート入力を有効にし（ステップＳ３６）、プリンタ１１０からの動作データを受信したか否かを判断する（ステップＳ３７）。ここで、プリンタ１１０からの動作データを受信したならば、リスタート入力を無効にし（ステップＳ３８）、ステップＳ３２に進み、以降の動作を実行する。
【００３６】
ステップＳ３７において、プリンタ１１０からの動作データを受信していないならば、リスタート入力があるかを判断し（ステップＳ３９）、リスタート入力があったならば、リスタート入力を無効にし（ステップＳ４０）、プリンタ１１０へのリスタート要求を通知し（ステップ４１）、ステップＳ３１に進み、以降の動作を実行する。ステップＳ３９において、リスタート入力がない場合にはステップＳ３７に戻る。また、ステップＳ３４において、最終用紙であるならば、その紙折り動作を終了する。
【００３７】
図８は、図４における紙折り機の排紙部に満杯検知センサを備えた場合のプリンタ１１０と紙折り機１２０の第１の動作例を示すフローチャートである。すなわち、図３に示したような満杯検知センサ１２６による検知信号を用いての制御例を示すものである。
【００３８】
図８において、前述したように、紙折りモードによる複写動作が指示されると、そのモードにしたがって、まず、プリント処理を実行し（ステップＳ５１）、紙折りを行なう（ステップＳ５２）。ついで、コピー枚数が最終用紙であるか否かを判断する（ステップＳ５３）。ここで、最終用紙でないと判断したならば、さらに紙折り機１２０がストック限界（満杯検知センサ１２６がＯＮ）を検知したか否かを判断する（ステップＳ５４）。
【００３９】
ステップＳ５４において、ストック限界を検知したならば、コピーを中断し（ステップＳ５５）、排紙部１２１上の記録紙が取り除かれ、満杯検知センサ１２６がＯＦＦ状態になったことを検知し（ステップＳ５６）、リスタート入力により（ステップＳ５７）、当該コピー（プリント）を再開する。
【００４０】
このように、紙折り機１２０の排紙部１２１に、そのストック状態を検知する満杯検知センサ１２６（図３参照）を設け、この信号をプリンタ１１０に通知し、満杯検知時にコピーを中断する。コピー中断の後、満杯検知センサ１２６が検知ＯＦＦ、すなわち、ストック限界量でなくなったことを検知しないと、リスタート入力を受けつけず、コピーを再開しない。満杯検知センサ１２６がこれを検知して初めてリスタート入力を受けつけ、コピーを再開する。
【００４１】
図９は、図４における紙折り機の排紙部に満杯検知センサを備えた場合のプリンタ１１０と紙折り機１２０の第２の動作例を示すフローチャートである。
【００４２】
図９において、まず、図８と同様に、紙折りモードによる複写動作が指示されると、そのモードにしたがって、まず、プリント処理を実行し（ステップＳ６１）、紙折りを行なう（ステップＳ６２）。ついで、コピー枚数が最終用紙であるか否かを判断する（ステップＳ６３）。ここで、最終用紙でないと判断したばらば、さらに紙折り機１２０がストック限界（満杯検知センサ１２６がＯＮ）を検知したか否かを判断する（ステップＳ６４）。
【００４３】
ステップＳ６４において、ストック限界を検知したならば、コピーを中断し（ステップＳ６５）、排紙部１２１上の記録紙が取り除かれ、満杯検知センサ１２６がＯＦＦ状態になったことを検知し（ステップＳ６６）、当該コピー（プリント）を再開する。
【００４４】
このように、紙折り機１２０の排紙部１２１に、そのストック状態を検知する満杯検知センサ１２６（図３参照）を設け、この信号をプリンタ１１０に通知し、満杯検知時にコピーを中断する。コピー中断の後、満杯検知センサ１２６が検知ＯＦＦ、すなわち、ストック限界量でなくなったことを検知しないと、リスタート入力を受けつけず、コピーを再開しない。満杯検知センサ１２６がこれを検知して初めて複写機に自動的にリスタート信号を送り、コピーを再開する。
【００４５】
【発明の効果】
以上説明したように、本発明にかかる複写・紙折りシステム（請求項１）によれば、複写機および紙折り機の排紙近傍に、当該画像形成の再開を指示するリスタート指示手段を設け、ストック限界の場合に、当該画像形成を中断させ、ストック限界が解除され、かつリスタート指示手段によりリスタートの指示があった場合に当該画像形成を再開するようすることにより、ユーザーがストック限界の記録紙を取り除いた後に複写機側に移動することなくその複写動作を再開することが可能になるため、最小限のユーザーの移動量で済み、しかもリスタート操作が迅速に行なえるので、その効率も向上する。
【００４６】
また、本発明にかかる複写・紙折りシステム（請求項２）によれば、請求項１において、ストック限界に達した場合にリスタート指示手段の入力操作を促すメッセージまたは（および）報知音を出力させることにより、ユーザーが迅速なリスタートを行なうことが可能になるため、リスタート時の操作性を向上させることができる。
【００４７】
また、本発明にかかる複写・紙折りシステム（請求項３）によれば、請求項１または２において、リスタート指示手段が、ソフトキーで構成され、リスタート入力が可能なとき以外は、表示状態を変更し、入力不可とすることにより、リスタートが必要なときのみ操作可能になるため、リスタート入力の用途が分かりやすくなり、その結果、ユーザーによる的確な操作が期待できる。
【００４８】
また、本発明にかかる複写・紙折りシステム（請求項４）によれば、請求項１、２または３において、ストック検知手段の検知信号がストック限界である場合、当該画像形成を中断し、そのストック限界が解除されなければリスタート指示手段の入力を無効にするので、操作ミスによりストック枚数以上の記録紙をストックするといった事態を回避することができる。また、始めから他の記録紙が置かれていたり、記録紙を取り除く際に取り残した場合であっても、継続してコピーを行ない、ストック限界に達したときにコピーを中断するため、これらのミスに起因するストック限界量を超えるということも回避できる。
【００４９】
また、本発明にかかる複写・紙折りシステム（請求項５）によれば、請求項４において、ストック検知手段の検知信号がストック限界で、画像形成を中断した後、ストック検知手段によるストック限界の状態が解除された場合、自動的に当該画像形成を再開することにより、リスタートのためのキー操作が不要になるため、さらにユーザーの手間を減らすことができる。
【図面の簡単な説明】
【図１】本発明の実施の形態にかかる複写・紙折りシステムの配置構成例を示す説明図である。
【図２】図１における複写・紙折りシステムの概略構成を示すブロック図である。
【図３】図２における満杯検知センサの構成例を示す説明図である。
【図４】スキャナ・プリンタおよび紙折り機間における通信シーケンスを示す遷移図であり、ストック限界が紙折り後の記録紙２枚の場合について示している。
【図５】図４におけるスキャナ・プリンタと紙折り機の総合動作を示すフローチャートである。
【図６】図４におけるプリンタ単体の動作例を示すフローチャートである。
【図７】図４における紙折り機単体の動作例を示すフローチャートである。
【図８】図４における紙折り機の排紙部に満杯検知センサを備えた場合のプリンタと紙折り機の第１の動作例を示すフローチャートである。
【図９】図４における紙折り機の排紙部に満杯検知センサを備えた場合のプリンタと紙折り機の第２の動作例を示すフローチャートである。
【符号の説明】
１００　スキャナ
１０５　操作部
１１０　プリンタ
１１２　制御部
１２０　紙折り機
１２１　排紙部
１２２　リスタートキー
１２６　満杯検知センサ
１４０　信号ケーブル
【図１】
2004075236.tif 000003
【図２】
2004075236.tif 000004
【図３】
2004075236.tif 000005
【図４】
2004075236.tif 000006
【図５】
2004075236.tif 000007
【図６】
2004075236.tif 000008
【図７】
2004075236.tif 000009
【図８】
2004075236.tif 000010
【図９】
2004075236.tif 000011